(57)【要約】【課題】  ゴルフ練習機でのティの交換にあたり，上部マットを持ち上げることなく，容易にティを交換する。【解決手段】  ゴルフ練習機用の固定部にティ（Ｔｅｅ）を縦立させるゴルフ練習機用ティの固定構造であって，ティ５０と，上記ティの支柱部５１を挿入する貫通孔７０を有し，上記ティを包囲する包囲部７０と，上記包囲部が脱着可能な挿入孔１１，６１を有し，上記包囲部を固定する固定部１０，６０とを備え，上記ティの拡張部５３は，上記包囲部の下部に掛止され，使用時にはティが脱着しないことを特徴とする，ゴルフ練習機用ティの固定構造が提供される。かかる構成により，固定部である上部マットを持ち上げなくても，容易にティを交換することができる。【選択図】    図４
0003102164.tif 000002
【実用新案登録請求の範囲】
【請求項１】
ゴルフ練習機用の固定部にティ（Ｔｅｅ）を縦立させるゴルフ練習機用ティの固定構造であって：
ゴルフボールを支持する支持部と，前記支持部に連結された支柱部と，前記支柱部の下部に形成され，前記支柱部より横断面積の大きい拡張部とからなるティと；
前記支柱部を挿入する貫通孔を有し，前記ティを包囲する包囲部と；
前記包囲部が脱着可能な挿入孔を有し，前記包囲部を固定する固定部と；
を備え，
前記ティの拡張部は，前記包囲部の下部に掛止され，使用時にはティが脱着しないことを特徴とする，ゴルフ練習機用ティの固定構造。
【考案の詳細な説明】
【技術分野】
【０００１】
本考案は，ゴルフ練習機，より具体的には，ゴルフ練習用の固定部であるマットにティを縦立させるゴルフ練習機用ティの固定構造に関する。
【背景技術】
【０００２】
図１は，従来から使用されている個人用ゴルフ練習機の一例を表している。
【０００３】
図１を参照すると，個人用のゴルフ練習機は，所定の大きさの長方形からなるベース１上に練習者が立つ足場２が形成され，上記足場２の前方にはゴルフのボール３が置かれる人工芝マット４が設置され，さらに前方にティ（Ｔｅｅ）５が設置される。
【０００４】
上記人工芝マット４とティ５は，合成樹脂や硬質のゴム材で作られ，ベース１の上に置かれる上部マット６の嵌合溝８と貫通孔７に置かれる。
【０００５】
図２はティ５が設置された状態の断面図を表している。図２を参照すると，ティ５は，胴体の下部が上部マット６の貫通孔７に挿入され，下段の拡張部９がベース１上に置かれている。上部マット６の底面が拡張部９を覆うことでティが縦立する。
【０００６】
このような従来のゴルフ練習機においては，貫通孔７に差し込まれたティ５を交換する場合，ティ５の連結部分を外し，上部マット６を持ち上げて貫通孔７に挿入されているティ５を抜き取ってから，新たなティを挿入孔間に挟み込まなければならなかった。
【０００７】
上記の交換方法は，比較的に小さいティを交換するために，上部マット５全体を持ち上げなければならないという使用上の問題を生じていた。
【考案の開示】
【考案が解決しようとする課題】
【０００８】
本考案は，従来のゴルフ練習機でのティの交換に関する上記の問題点に鑑みてなされたものであり，上部マットを持ち上げなくても，容易にティを交換することが可能な，新規かつ改良されたゴルフ練習機用ティの固定構造を提供することである。
【課題を解決するための手段】
【０００９】
本考案が意図している目的を達成するための構造的な特徴は，ゴルフ練習機の固定部である上部マットに，ティを縦立させるための挿入孔を形成することにある。
【００１０】
上記課題を解決するために，本考案のある観点によれば，ゴルフ練習機用の固定部にティ（Ｔｅｅ）を縦立させるゴルフ練習機用ティの固定構造であって：ゴルフボールを支持する支持部と，上記支持部に連結された支柱部と，上記支柱部の下部に形成され，上記支柱部より横断面積の大きい拡張部とからなるティと；上記支柱部を挿入する貫通孔を有し，上記ティを包囲する包囲部と；上記包囲部が脱着可能な挿入孔を有し，上記包囲部を固定する固定部と；を備え，上記ティの拡張部は，上記包囲部の下部に掛止され，使用時にはティが脱着しないことを特徴とする，ゴルフ練習機用ティの固定構造が提供される。
【００１１】
このような本考案は，ティの高さや種類に応じて適当な包囲部を形成することができる。また，汎用性のある包囲部を準備し，それぞれのティを包囲することもできる。
【００１２】
ここでは，上記包囲部の外周と上記固定部の挿入孔の内径とが等しい大きさであれば良く，かかる構成により，固定部である上部マットを持ち上げることなく，上記挿入孔への包囲部の抜き差しだけで容易なティの交換が可能となる。
【００１３】
任意の形象で形成される包囲部とこの包囲部に対応する挿入孔とは，多様な形象で形成される。このような形象の変更は，本考案が意図している技術的範囲に該当することは自明である。具体的に，包囲部は，円形，三角形，四角形などを含む多角形で形成することができ，この包囲部の形象に対応した挿入孔の形象を形成することによって，同じ効果を得ることができる。
【考案の効果】
【００１４】
以上説明したように本考案によれば，ゴルフ練習機でティを交換しようとする時に，上部マットを持ち上げることなく，包囲部を上部マットから抜き差しするだけで容易にティを交換することができる。
【考案を実施するための最良の形態】
【００１５】
以下に添付図面を参照しながら，本考案の好適な実施の形態について詳細に説明する。なお，本明細書及び図面において，実質的に同一の機能構成を有する構成要素については，同一の符号を付することにより重複説明を省略する。
【００１６】
図３は，本実施形態が適用されたゴルフ練習機の斜視図である。
【００１７】
図３を参照すると，本実施形態が適用されているゴルフ練習機は，所定の大きさの長方形からなるベース１０の上に練習者が立つ足場２０が形成され，足場２０の前方にはゴルフボール３０が置かれる人工芝マット４０が設置され，さらにその前方にティ５０が設置される。
【００１８】
上記人工芝マット４０とティ５０は，合成樹脂や硬質のゴム材で作られ，ベース１０の上に置かれる。
【００１９】
特にティ５０は，本実施形態の特徴的な構造としての包囲部７０に包囲され，その状態で，固定部であるベース１０及び上部マット６０の挿入孔１１，６１に挿入し，固定される。
【００２０】
図４は，本実施形態の各部品を分離した状態の斜視図を表している。
【００２１】
図４を参照すると，ティ５０は，垂直の支柱部５１の上部にはゴルフボール３０を支持する支持部５２が形成され，下部には水平の拡張部５３が形成される。
【００２２】
ベース１０にはティ５０の拡張部５３と包囲部７０が挿入される挿入孔１１が形成され，上部マット６０も上記のベースの挿入孔１１と同じ形の挿入孔６１が形成される。
【００２３】
包囲部７０は，軟質の合成樹脂やゴムで製作され，上部マット６０に形成された挿入孔６１と一致する大きさの外周面を有し，中央にはティ５０を挿入し支柱部５１を収容する貫通孔７１が形成されている。
【００２４】
このように構成される本実施形態に従ってゴルフのティ５０が上部マット６０に設置される状態を，図５及び図６で表している。
【００２５】
図５を参照すると，包囲部７０は，貫通孔７１に支柱部５１を挿入した状態で，拡張部５３の上部に掛止される。このように，包囲部７０がティ５０を包囲するために，支持部５２や拡張部５３が包囲部７０の貫通孔７１に挿入される。これは包囲部７０が軟質の合成樹脂やゴムで作られていることから可能になる。また，ティ５０と包囲部７０を容易に結合するために，図７Ａで図示された包囲部７０ａのように貫通孔７１から外周面をつなげる切開部７２を形成して，ティ５０の支柱部５１を直接挿入できるように構成することもできる。
【００２６】
このようにティ５０を収容する包囲部７０は，図６から分かるようにベース１０の挿入孔１１と上部マット６０の挿入孔６１に挿入し，ティ５０をベース１０及び上部マット６０に固定することができる。また，ティ５０を交換する時には，ティ５０を掴んで上方へ引くことによって，包囲部７０を挿入孔１１，６１から抜くことができる。このようにしてティ５０は分離され，他のティに交換することができる。
【００２７】
このような固定構造により，上部マット６０をあえて持ち上げなくても，手軽にティを交換することができる。
【００２８】
以上の説明では円形で形成された包囲部７０を説明したが，包囲部は，多様な形象で製作することができる。このような変更が本考案の請求範囲に含まれることは当業者にとって自明である。
【００２９】
図７Ｂ，図７Ｃ，図７Ｄは，本実施形態の包囲部に対する多様な実施例を表している。
【００３０】
この図面を参照すると，包囲部は，図７Ｂで示される三角形の包囲部７０ｂ，図７Ｃで示される四角形の包囲部７０ｃ，図７Ｄで示される六角形の包囲部７０ｄのように多様な形象で製作することができる。
【００３１】
以上，添付図面を参照しながら本考案の好適な実施形態について説明したが，本考案は係る例に限定されないことは言うまでもない。当業者であれば，特許請求の範囲に記載された範疇内において，各種の変更例または修正例に想到し得ることは明らかであり，それらについても当然に本考案の技術的範囲に属するものと了解される。
【産業上の利用可能性】
【００３２】
本考案は，本考案は，ゴルフ練習機，より具体的には，ゴルフ練習用の固定部であるマットにティを縦立させるゴルフ練習機用ティの固定構造に適用可能である。
【図面の簡単な説明】
【００３３】
【図１】従来のゴルフ練習機の一例を表した斜視図である。
【図２】従来のゴルフの練習機でティが設置された状態を表した断面図である。
【図３】実施形態が適用されたゴルフ練習機の斜視図である。
【図４】実施形態の各部品を分離した状態の斜視図である。
【図５】実施形態でティが分離された状態の断面図である。
【図６】実施形態でティが設置された状態の断面図である。
【図７Ａ】包囲部の他の実施例を表した斜視図である。
【図７Ｂ】包囲部の他の実施例を表した斜視図である。
【図７Ｃ】包囲部の他の実施例を表した斜視図である。
【図７Ｄ】包囲部の他の実施例を表した斜視図である。
【符号の説明】
【００３４】
１０：ベース（ｂａｓｅ）
１１：挿入孔
５０：ティ
５１：支柱部
５２：支持部
５３：拡張部
６０：上部のマット
６１：挿入孔
７０：包囲部
７１：貫通孔
【図１】
0003102164.tif 000003
【図２】
0003102164.tif 000004
【図３】
0003102164.tif 000005
【図４】
0003102164.tif 000006
【図５】
0003102164.tif 000007
【図６】
0003102164.tif 000008
【図７Ａ】
0003102164.tif 000009
【図７Ｂ】
0003102164.tif 000010
【図７Ｃ】
0003102164.tif 000011
【図７Ｄ】
0003102164.tif 000012